(57)【要約】【課題】左右縦框１、２に設けた灯体１８に接続される戸体側リード線３１が、縦框１、２と上框３とを固定するための長ビス３０に干渉しないようにする。【解決手段】灯体１８が組込まれる断面凵字形の取付け具２７の側面部２７ａと、該取付け具２７が組込まれる縦框本体２０、２１の凹溝２０ｇ、２１ｇの側板部２０ａ、２１ａとのあいだにスペースＳ１を設け、取付け具２７の側面部２７ａに、長ビス３０の螺入位置より低い位置で、灯体１８に接続される戸体側リード線３１をスペースＳ１に逃がすための切欠き２７ｄを設けるようにする。【選択図】図８
2017218777.tif 000002
【特許請求の範囲】
【請求項１】
開口部の開閉をするための戸体を、上下框と、左右の縦框と、これら上下框および縦框間に囲撓される状態で設けられる導光材からなるパネル体と、左右縦框の少なくとも一方に組込まれる基材と、該基材に対して上下方向一連状に設けられる複数の灯体と、左右縦框の左右方向外側から螺入して上下框および左右縦框を固定するための長ビスとを備え、パネル体に設けた反射部が、灯体からの光を反射することで視認されるように構成した表示機能付き戸体において、縦框には、底面部に前記基材が組込まれた水平断面凵字形の取付け具を上下方向移動自在に内嵌する一方、取付け具の側面部と溝側面とのあいだにスペースを有するように構成した凹溝が形成され、取付け具の上端部底板部には前記長ビスが貫通するものであり、前記取付け具の側面部には、基材上端から取付け具内に引出されるリード線を長ビス螺入位置よりも下側位置で前記スペース側に逃がすための切欠きが形成されていることを特徴とする表示機能付き戸体。
【請求項２】
凹溝の底板部から螺入し、先端を取付け具の底面部に押し付けることで取付け具を凹溝開口側に移動させるためのビスと、該移動した取付け具の側面部先端が当接して取付け具を支持するため凹溝に形成された支持突起とを備えていることを特徴とする請求項１記載の表示機能付き戸体。
【請求項３】
凹溝の側板部と底板部とのコーナー部には、取付け具の底板部側を摺動状に嵌合して取付け具の前後方向の位置決めをするコーナー片が設けられていることを特徴とする請求項１または２記載の表示機能付き戸体。
【請求項４】
取付け部の長ビス用貫通孔よりも上側位置には、取付け部を引き抜くための工具を係止するための係止孔が形成されていることを特徴とする請求項１、２または３記載の表示機能付き戸体。
【発明の詳細な説明】
【技術分野】
【０００１】
本発明は、ＬＥＤ（発光ダイオード）等の灯体からの光を導光材からなるパネル体に入射することでパネル体に設けた文字や図柄等が描かれた反射部で反射することにより表示する表示機能付きの戸体の技術分野に関するものである。
【背景技術】
【０００２】
今日、戸体（扉体）を構成するパネル体に文字や図柄を描いて戸体自体に表示機能を持たせたものが知られているが、パネル体が単純にガラス板のようなものである場合、パネル体表面にペンキ等の塗料で描いただけの表示しかできず、外観の優れたものとすることは難しいという問題がある。
そこでパネル体を、文字や図柄を反射表示するため溝状の反射部が形成された導光材で構成し、該パネル体の端面部に設けた灯体の光をパネル体に入光することで反射部で反射させ、その反射光で表示させることにより光表示ができるようにしたものが知られている（例えば特許文献１参照。）。
【先行技術文献】
【特許文献】
【０００３】
【特許文献１】実公平７−５２９４７号公報
【発明の概要】
【発明が解決しようとする課題】
【０００４】
ところが前記従来のものは、灯体を上框に横方向からスライド移動して組込むものであるが、一般に戸体は、上框が左右縦框に対して短いものであるため、灯体の長さ（数）が短い（少ない）ものとなってどうしても表示が暗くなるという問題があるだけでなく、左右縦框がないものであるため、戸体は、左右縦框による強度アップが期待できないだけでなく、パネル体の左右両端部の保護ができないためパネル体の左右両端部が傷ついたりしやすいという問題がある。
そこで戸体を、左右縦框を設けたものとして強度アップを図ると共に、パネル体の左右両端部を保護することが提唱される。そしてこの場合に、縦框に灯体を設けるようにして灯体数を上框に設けたものより増加させるようにして表示を明るくするようにしたものが提唱される。この場合に、灯体から引出されるリード線が、上框と縦框とを固定するためのビス位置を引き回される際に、リード線に干渉しないよう配慮する必要があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の開閉をするための戸体を、上下框と、左右の縦框と、これら上下框および縦框間に囲撓される状態で設けられる導光材からなるパネル体と、左右縦框の少なくとも一方に組込まれる基材と、該基材に対して上下方向一連状に設けられる複数の灯体と、左右縦框の左右方向外側から螺入して上下框および左右縦框を固定するための長ビスとを備え、パネル体に設けた反射部が、灯体からの光を反射することで視認されるように構成した表示機能付き戸体において、縦框には、底面部に前記基材が組込まれた水平断面凵字形の取付け具を上下方向移動自在に内嵌する一方、取付け具の側面部と溝側面とのあいだにスペースを有するように構成した凹溝が形成され、取付け具の上端部底板部には前記長ビスが貫通するものであり、前記取付け具の側面部には、基材上端から取付け具内に引出されるリード線を長ビス螺入位置よりも下側位置で前記スペース側に逃がすための切欠きが形成されていることを特徴とする表示機能付き戸体である。
請求項２の発明は、凹溝の底板部から螺入し、先端を取付け具の底面部に押し付けることで取付け具を凹溝開口側に移動させるためのビスと、該移動した取付け具の側面部先端が当接して取付け具を支持するため凹溝に形成された支持突起とを備えていることを特徴とする請求項１記載の表示機能付き戸体である。
請求項３の発明は、凹溝の側板部と底板部とのコーナー部には、取付け具の底板部側を摺動状に嵌合して取付け具の前後方向の位置決めをするコーナー片が設けられていることを特徴とする請求項１または２記載の表示機能付き戸体である。
請求項４の発明は、取付け部の長ビス用貫通孔よりも上側位置には、取付け部を引き抜くための工具を係止するための係止孔が形成されていることを特徴とする請求項１、２または３記載の表示機能付き戸体である。
【発明の効果】
【０００６】
請求項１の発明とすることにより、灯体が設けられる基材から取付け具に引出されるリード線が、上下框と左右縦框とを固定するための長ビス螺入位置よりも下側位置で取付け具に設けた切欠きから取付け具側面部と凹溝溝側面とのあいだに形成されるスペースに逃がすことができ、これによって長ビスを利用して取付け具を縦框に固定できるものでありながら、リード線が長ビスに干渉するような不具合を回避できる。
請求項２の発明とすることにより、取付け具の縦框への取付けが簡単かつ容易になる。
請求項３の発明とすることにより、取付け具の凹溝に対する位置決めが確実になる。
請求項４の発明とすることにより、灯体が設けられる基材の凹溝に対する抜き差し作業が容易になる。
【図面の簡単な説明】
【０００７】
【図１】戸装置の正面図である。
【図２】（Ａ）（Ｂ）はパネル体部位の水平断面図、拡大水平要部断面図である。
【図３】戸装置の上部縦断面図である。
【図４】戸装置のカバーを外した状態の上部正面図である。
【図５】縦框部のパネル体部位の要部拡大断面図である。
【図６】（Ａ）（Ｂ）（Ｃ）は上框部位の水平断面図、長ビス部位の拡大水平要部断面図、リード線配設部位の拡大水平要部断面図である。
【図７】戸体の要部分解斜視図である。
【図８】（Ａ）（Ｂ）は戸体の灯体取付け状態を示す側面図、上框の側面図である。
【図９】灯体が組込まれた状態の取付け具の要部正面図である。
【発明を実施するための形態】
【０００８】
以下、本発明の実施の形態について、図面に基づいて説明する。図面において、Ｄは戸体であって、該戸体Ｄは、戸尻側、戸先側の縦框１、２、上下横框３、４、並びにこれら框１、２、３、４に囲撓された空間に組込まれるパネル体５とにより構成されるが、パネル体５はガラス板やアクリル板のような導光（透光）性素材で構成され、パネル体５の表面にＶ溝状に切欠かれた反射部５ａが形成されているが、該反射部５ａは、絵や文字等の適宜の表示がなされている。
【０００９】
６は上枠であって、該上枠６は下端が開口し、上側が開口よりも前後方向幅広状になった蟻溝形状をしているが、上枠６の一端部には電動モータ７が内装されている。電動モータ７に設けられる駆動スプロケット８と、上枠６の他端部に設けられる従動スプロケット９とのあいだには伝動ベルト１０が懸回されている。
前記戸体Ｄはハンガー式であり、その上端縁にはハンガーローラ１１が設けられたブラケット１１ａが連結されるが、該ハンガーローラ１１は上枠６に内装したガイドレール１２を転動するようになっている。
さらにブラケット１１ａは、連結部材１１ｂを介して伝動ベルト１０に連結されている。そして戸体Ｄは、電動モータ７の正逆駆動に連動する伝動ベルト１０の左右移動に基づいて左右方向の開閉移動をするようになっていること等は何れも従来通りである。
【００１０】
また前記上枠６には、点検口を塞ぐ塞ぎ板６ａが着脱自在に設けられているが、該塞ぎ板６ａに支持板６ｂが設けられ、該支持板１３ａに⊃字形に湾曲した湾曲チエン１３の下端部１３ａの先端が取付けられ、また上端部１３ｂの先端は連結金具１３ｃを介して戸体Ｄの上端部に連結されている。
さらに湾曲チエン１３には室内側リード線１４が沿う（這う）状態で設けられているが、湾曲チエン上端部１３ｂから延出される上端側室内側リード線１４ｂの端部はコネクタ１５を介して後述する戸体側リード線３１側に接続される一方、湾曲チエン下端部１３ａから延出される上端側室内側リード線１４ａは、灯体コントローラ（ＲＢＧ発光コントローラ）１６を経由し家庭用電源スイッチ１７に接続される。
そして前述したように戸体Ｄが開閉移動した場合に、湾曲チエン１３は、室内側リード線１４と共に上端部１３ｂが下端部１３ｂに対して長短変化する状態で移動し、これにより室内側リード線１４の戸体Ｄの移動に追従する移動ができるようになっている。
【００１１】
前記戸体Ｄの左右（戸尻側、戸先側）縦框１、２には灯体（例えばＬＥＤランプ）１８が組込まれるが、該縦框本体２０、２１も含めて灯体１８は、複数のものが長尺平板状の基材（基板）１９に所定間隔を存して一連状に取付けられる。そして基材１９は、左右縦框１、２に起立状に組込まれることになるが、縦框１、２は、左右方向内側が開口した冂字溝形をしており、内側のアルミニウム製形材からなる縦框本体２０、２１と、該縦框本体２０、２１の外表面をステンレス板２２、２３で被覆したものとで構成され、これによって縦框１、２の外表面全てをステンレス光沢のあるものにしながら、縦框本体２０、２１を含めて全体をステンレス材で形成したものに比して軽量化を図っている。このことは、上下横框３、４についても同様であって、アルミニウム形材３ａ、４ａの外表面をステンレス板３ｂ、４ｂで被覆している。
【００１２】
次に、縦框本体２０、２１について具体的に説明するが、一方の縦框本体２０は戸尻側のものであり、他方の縦框本体２１は戸先側のものである。そしてこれら縦框本体２０、２１は、前後方向両側にある側板部２０ａ、２１ａと、これら側板部２０ａ、２１ａの左右方向外端部同士を連結する底板部２０ｂ、２１ｂと備えることで、左右方向内側が開口したコ字溝形をしているが、側板部２０ａ、２１ａの開口側半部内側面には鋸歯状溝（波状溝）２０ｃ、２１ｃが形成され、さらにこの鋸歯状溝２０ｃ、２１ｃに対して底板部２０ｂ、２１ｂ側に隣接する状態でバッカー（バックアップ材）２４を組込むための組込み溝２０ｄ、２１ｄが形成されている。
そしてパネル体５の左右両端縁部は、端縁がバッカー２４を左右方向外方に僅かに超えた位置まで挿入されたものとし、鋸歯状溝２０ｃ、２１ｃの底板部側半部に充填した接着剤２５によりパネル体５と縦框本体２０、２１とを接着する一方、鋸歯状溝部２０ｃ、２１ｃの開口側半部に充填したシーリング材２６によりパネル体５と縦框本体２０、２１とのあいだのシールをするようになっている。
【００１３】
次に、図５において灯体１８の戸尻側体框１に組込む構成について具体的に説明するが、この構成は戸先側縦框２においても同じであるのその詳細は省略する。縦框本体２０の側板部２０ａの内面には、バッカー組込み溝２０ｄに対し底板部２０ｂ側に隣接する状態で、前後方向に突出する互いに一対の支持突起２０ｅが設けられる一方、側板部２０ａと底板部２０ｂとのコーナー部（角部）内面には、角形状をした突部２０ｆが形成されており、これによって側板部２０ａおよび底板部２０ｂの各内面部位には段差状に深くなったスペースＳ１、Ｓ２がそれぞれ形成されている。この場合に、底板部側スペースＳ２の前後内幅Ｌ２は、側板部２０ａ側スペースＳ１の前後内幅Ｌ１よりも小さく（Ｌ１＞Ｌ２）なっている。
【００１４】
２７は断面凵字形をした取付け具であって、該取付け具２７の底面部２７ａの内面には前記基材１９が例えば両面粘着テープを介して止着されるが、取付け具２７の両側面部２７ａ間の外幅Ｋ１は、図５に示すように、底板部側スペースＳ２の幅Ｌ２より僅かに小さい（Ｋ１＜Ｌ２）設定になっていて、底面部２７ｂが突部２０ｆの底板部２０ｂ側面に摺動あるいは僅かに隙間を存する状態でスペースＳ２に内嵌する寸法設定になっている。
また、取付け具側面部２７ａの左右幅Ｋ２は、支持突起２０ｅと底面部２０ｂの内面との対向幅Ｌ３よりも小さい（Ｋ２＜Ｌ３）が、支持突起２０ｅと突部２０ｆとの対向幅Ｌ４よりは大きく（Ｋ２＞Ｌ４）となっており、これにより取付け具２７は、側面部２７ａの開口端２７ｆが支持突起２０ｅに当接した状態で底面部２７ｂがスペースＳ２に内嵌することになって、取付け具２７の前後方向の位置決めがなされる設定になっている。
【００１５】
さらに図５に示すように、縦框本体２０の底板部２０ｂの左右方向外面には、開口幅がスペースＳ２の前後幅よりも小さい状態の凹溝２０ｇが形成されるが、該凹溝２０ｇには上下方向に所定間隔を存してビス孔２０ｈが螺設されている。凹溝２０ｇの前後方向両端縁にはコーナー片２０ｉが形成されるが、戸尻側框本体２０のコーナー片２０ｉは、凹溝２０ｇの溝側片を延長する状態で形成され、コーナー片２０ｉの左右方向外側には、戸尻側ステンレス板２２とのあいだで舌片状の気密材２８を挟持するための挟持片２０ｊが形成されている。
【００１６】
そして取付け具２７は、前述したように内底面に基材１９が止着された状態のものを、底面部２７ｂが縦框本体２０の底板部側のスペースＳ２に嵌合するようにして下端部が下框４に至るまで縦框本体２０に嵌入組込みする。このようにして組込まれた取付け具２７の底面部２７ｂの外面を、ステンレス板２２に穿設した開口２２ａ、凹溝２０ｇの開口側からビス孔２０ｈに螺入したビス２９の先端で左右方向内側に押しやることで、取付け具２７の側面部２７ａの先端２７ｆが支持突起２０ｅに当接することになり、これによって灯体１８は、左右方向の位置決めがなされた状態で縦框１に組込まれることになる。尚、２９ａはステンレス板２２の開口２２ａを塞ぐための塞ぎ材である。
【００１７】
縦框１、２の上下端部は、上下框３、４に対して左右方向外側から当てがわれた状態で固定されることになるが、上框３を例にして説明すると、縦框本体２０に設けたビス孔２０ｌ、取付け具２７に設けたビス孔２７ｆを通した長ビス３０を上框３に設けたビスポケット３ａに螺入することによって縦框１と上框３とが一体化されるが、取付け具２７の上端部は、長ビス３０の螺入位置よりも上側まで至るように設定されている（本実施の形態では上框３の上端と一致するように設定されている。）。
一方、取付け具２７の側面部２７ａには、ビス孔２７ｃよりも下側位置で、かつ基材１９の上端１９ａよりも上側位置に切欠き２７ｄが形成され、基材１９の上端１９ａから引出された戸体側リード線３１は、この切欠き２７ｄを貫通して側板部側スペースＳ１の側板部２０ａと側面部２７ａとのあいだの隙間を通るように配線され、これによって戸体側リード線３１の切欠き２７ｄより上側にある長ビス３０貫通部位は側面部２７ａによって仕切られた状態になって戸体側リード線３１が長ビス３０に接触することがないように設定されている。
そして側板部側スペースＳ１の上部にまで達した戸体側リード線３１は、縦框本体支持突起２０ｅの上部に設けた切欠き２０ｋを貫通して上框３内に至り、コネクタ１５を介して上框３に配線される中間リード線３２に接続され、該中間リード線３２がさらにコネクタ１５を介して前記上端側室内側リード線１４ｂに接続されるようになっている。尚、３３は左右縦框１、２の上端縁を塞ぐための塞ぎ板、３４は取付け具２７を框本体２０、２１から引出すための係止工具であり、該係止工具３４のフック部３４ａを取付け具２７に設けた係止孔２７ｅに係止した状態で引出すことができるようになっている。
【００１８】
叙述の如く構成された本発明の実施の形態において、戸体Ｄの左右縦框１、２の少なくとも一方に灯体１８を設け、該灯体１８からの光を、パネル体５に設けた反射部５ａで反射させることで視認できるようにしたものであるが、灯体１８が設けられる基材１９が組込まれた水平断面凵字形をした取付け具２７を縦框に上下方向移動自在に設けて、必要において灯体１８を取付け具２７ごと縦框１から引出してメンテナンスができるようにしたものでありながら、基材１９から取付け具２７内に引出されるリード線３１は、縦框１を上框３に固定するための長ビス３０螺入位置よりも下側位置において、取付け具２７の側面部に設けた切欠き２７ｄから取付け具２７外のスペースＳ１に引出されることになる。この結果、リード線３１は、長ビス３０の螺入位置においては、取付け具２７の側面部２７ａで仕切られていて取付け具２７内側への移動が阻止された状態でスペースＳ１内に位置することになってリード線３１が長ビス３０に干渉して破損したりする等の不具合が発生することが回避される。
【００１９】
しかも取付け具２７は、縦框の凹溝から螺入したビス２９によって側面部先端２７ｆが縦框本体２０に形成の支持突起２０ｅに当接した状態で組込まれる。この結果、灯体１８の左右方向の位置決めが、縦框２０側の支持突起２０ｅを基準としてなされることになると共に、取付け具２７のガタ止めも合わせてなされることになる。このため本実施の形態では、ビス２９のビス頭と底面部２０ｂとにあいだに隙間ができる設定となっている。
【００２０】
そしてこの場合に、取付け具２７は、底面部２７ｂが摺動状に嵌合するコーナー片２０ｉが設けられていて狭いスペースＳ２に嵌合することになるため、前後方向の位置決めもなされることになって、灯体１８の精度の良い組込みが簡単になされることになる。
【００２１】
しかも灯体１８のメンテナンスをする場合、長ビス３０、ビス２９を外した状態で係止工具３４を係止孔２７ｅに係止して縦框本体２０から取付け具２７を引出すことができることになる。この結果、パネル体５を縦框本体２０に接着固定して雨仕舞いの良いものとしても灯体１８のメンテナンスができることになる。
【産業上の利用可能性】
【００２２】
本発明は、左右縦框と、上下横框で囲撓される空間に、導光性のパネル体を嵌め込み、該パネル体に設けた反射部を、縦框に設けた灯体からの光を反射させて視認できるようにした表示機能付き戸体として利用することができる。
【符号の説明】
【００２３】
１  戸尻側縦框
２  戸先側縦框
３  上框
５  パネル体
５ａ  反射部
１８  灯体
１９  基材
２０  戸尻側縦框本体
２０ｅ  支持突起
２１  戸先側縦框本体
２７  取付け具
２７ａ  側面部
２７ｂ  底面部
２７ｃ  ビス孔
２７ｄ  切欠き
２７ｅ  係止孔
２９  ビス
３０  長ビス
３１  戸体側リード線
３４  係止工具
Ｄ戸体
【図１】
2017218777.tif 000003
【図２】
2017218777.tif 000004
【図３】
2017218777.tif 000005
【図４】
2017218777.tif 000006
【図５】
2017218777.tif 000007
【図６】
2017218777.tif 000008
【図７】
2017218777.tif 000009
【図８】
2017218777.tif 000010
【図９】
2017218777.tif 000011